(57)【特許請求の範囲】
【請求項１】
遊技機の遊技盤に取り付けられ、前記遊技盤に沿って流下する遊技球を受け入れる入賞口を備える入賞装置であって、
前記遊技盤の表面側に突出する突出位置と、前記遊技盤の背面側へ退避する退避位置と、の間で出退可能に設けられ、前記突出位置にあるときに遊技球を受け止めて前記入賞口へ案内可能な出退部材と、
前記遊技盤の背面側に配置され、駆動源から伝達される駆動力によって、前記遊技盤の盤面と直交する方向に出退する駆動部材と、
前記遊技盤の盤面に平行な軸である第一軸によって回動可能に支持されて、自身の一方の端部である第一端部が前記駆動部材に連結され、前記第一軸を挟んで前記第一端部とは反対側の端部である第二端部が前記出退部材に連結されると共に、前記駆動部材の出退に連動して回動されて、前記出退部材を前記突出位置と前記退避位置との間で出退させる軸支部材と、
前記遊技盤の盤面に平行な軸である第二軸によって回動可能に支持されて、自身の一方の端部である第三端部が前記出退部材に連結され、前記第二軸を挟んで前記第三端部とは反対側の端部である第四端部に板状の規制板を有すると共に、前記出退部材の出退に連動して強制的に回動されて、前記規制板が、前記入賞口を開放する開放位置と、前記入賞口を閉鎖する閉鎖位置との間で移動する規制部材と、
を備え、
前記出退部材は、遊技球の流下方向を厚み方向とする板状をなす部材であり、
前記厚み方向に貫通し、遊技球が通過可能な貫通孔と、
自身の出退方向および前記厚み方向に直交する側の側面に設けられ、前記軸支部材の前記第二端部が連結される第一連結部と、
前記側面に設けられ、前記規制部材の前記第三端部が連結される第二連結部と、
を備え、
前記出退部材は、前記入賞口内の下部に配置されて、前記入賞口を介して前記突出位置と前記退避位置との間で出退すると共に、
前記入賞口に入賞した遊技球は、前記貫通孔を通過して外部へ排出され、
更に、
前記規制部材は、前記第三端部に、前記第二連結部に係合する突起部を備え、
前記出退部材の前記第二連結部は、
前記出退部材が前記突出位置に移動する場合に、前記突起部を押圧する前側押圧面と、
前記出退部材が前記退避位置に移動する場合に、前記突起部を押圧する後側押圧面と、
を備え、
前記前側押圧面と前記後側押圧面は、前記厚み方向に延びる溝状に形成され、
前記突起部は、前記前側押圧面と前記後側押圧面との間に配置され、前記前側押圧面と前記後側押圧面とに対し摺擦しながら前記厚み方向に移動できること
を特徴とする入賞装置。
【請求項２】
前記出退部材の前記第一連結部は、
前記軸支部材が回動して前記出退部材を前記突出位置に移動させる場合に、前記第二端部が摺擦しつつ押圧する前側摺接面と、
前記出退部材を前記退避位置に移動させる場合に、前記第二端部が摺擦しつつ押圧する後側摺接面と、
を備え、
前記後側摺接面には、前記出退部材が前記退避位置にある状態で前記突出位置へ向けて移動する外力を受けた場合に、前記第二端部の移動を制止して、前記軸支部材の回動を禁止する制止部が設けられたことを特徴とする請求項１に記載の入賞装置。
【請求項３】
前記出退部材の出退方向に分割可能に形成され、前記駆動部材、前記軸支部材、前記出退部材および前記規制部材を収容するハウジングを備え、
前記駆動部材、前記軸支部材、前記出退部材および前記規制部材の収容し、さらに前記駆動部材に前記駆動源を接続した状態において、前記ハウジングは、自身の内部と外部とを接続する開口として、前記入賞口の開口と、前記入賞口に入賞した遊技球が排出される排出口の開口とを有し、他の開口は、前記駆動源に塞がれていることを特徴とする請求項１または２に記載の入賞装置。
【請求項４】
請求項１から３のいずれかに記載の入賞装置を備える遊技機。
【発明の詳細な説明】
【技術分野】
【０００１】
本発明は、遊技球が入賞可能な入賞口を備えた入賞装置および遊技機に関する。
【背景技術】
【０００２】
従来、入賞口に設けられ、所定の条件が成立することを契機に入賞口を開放する開閉部材を備える入賞装置が知られている。このような入賞装置を備える遊技機では、開閉部材が入賞口を開放した際に遊技球が入賞することを契機として、特別図柄を可変表示する表示装置における図柄変動が始動される。こうした入賞装置の開閉部材としては、入賞口の左右両側に設けられ、左右に開閉する羽根部材が知られている。羽根部材は、通常時は入賞口の左右において起立した状態にあって遊技球の入賞を規制し、所定の条件が成立すると左右に倒れるように開いて遊技球を受け止め、入賞口へ案内することで、遊技球の入賞を補助する。
【０００３】
ところで、遊技盤の盤面に垂直な方向に沿って、開閉部材が入賞口から出退する形態の出退部材（進退ガイド部材）として設けられた入賞装置も知られている（例えば特許文献１参照）。このような出退部材は通常時は入賞口内に退避しており、盤面に沿って流下する遊技球は入賞口の前を素通りする。所定の条件が成立すると、出退部材が入賞口から突出することで遊技球を受け止め、入賞口へ案内することで、遊技球の入賞を補助する。
【０００４】
こうした入賞部材には、出退部材が入賞口内に退避している場合に、入賞口の前を流下する遊技球が弾みにより入賞口に入賞することがないように、入賞口にさらに規制部材（回動扉）が設けられる。規制部材は出退部材の出退に合わせ、出退部材が入賞口内に退避する場合には入賞口を塞ぎ、出退部材が入賞口から突出する場合には入賞口を開放する。特許文献１の回動扉は、入賞口を開放する場合には、回動扉に設けられた扉回動凸部が進退ガイド部材の段状をなす両側壁部の上面に当接しながら摺動する。そして、扉回動凸部がその上面に押圧されることにより回動扉が回動し、入賞口を開放する構造を有する。
【先行技術文献】
【特許文献】
【０００５】
【特許文献１】特開２０１０−１３１３７９号公報
【発明の概要】
【発明が解決しようとする課題】
【０００６】
しかしながら、特許文献１の回動扉は、入賞口を閉鎖する場合には、進退ガイド部材が退避し、回動扉の扉回動凸部と、両側壁部の上面との当接状態が開放されることにより、自重で、回動扉が回動して入賞口を閉鎖する構造を有する。このため、例えば経時劣化により回動扉の回転軸（回動軸部）がスムーズに回動扉を軸支できなくなったり、塵や埃等が回動軸部の軸受け部分に溜まったりすると、回動扉の回動に抵抗を生ずる場合がある。すると、回動扉が自重で閉鎖できなくなり、進退ガイド部材が退避位置にあっても回動扉が入賞口を開放した状態になってしまう虞があった。
【０００７】
本発明は、上記課題を解決するためになされたものであり、規制部材を強制的に回動させることで、入賞規制時に確実に入賞口を閉鎖することができる入賞装置および遊技機を提供することを目的とする。
【課題を解決するための手段】
【０００８】
本発明の第１態様によれば、遊技機の遊技盤に取り付けられ、前記遊技盤に沿って流下する遊技球を受け入れる入賞口を備える入賞装置であって、前記遊技盤の表面側に突出する突出位置と、前記遊技盤の背面側へ退避する退避位置と、の間で出退可能に設けられ、前記突出位置にあるときに遊技球を受け止めて前記入賞口へ案内可能な出退部材と、前記遊技盤の背面側に配置され、駆動源から伝達される駆動力によって、前記遊技盤の盤面と直交する方向に出退する駆動部材と、前記遊技盤の盤面に平行な軸である第一軸によって回動可能に支持されて、自身の一方の端部である第一端部が前記駆動部材に連結され、前記第一軸を挟んで前記第一端部とは反対側の端部である第二端部が前記出退部材に連結されると共に、前記駆動部材の出退に連動して回動されて、前記出退部材を前記突出位置と前記退避位置との間で出退させる軸支部材と、前記遊技盤の盤面に平行な軸である第二軸によって回動可能に支持されて、自身の一方の端部である第三端部が前記出退部材に連結され、前記第二軸を挟んで前記第三端部とは反対側の端部である第四端部に板状の規制板を有すると共に、前記出退部材の出退に連動して強制的に回動されて、前記規制板が、前記入賞口を開放する開放位置と、前記入賞口を閉鎖する閉鎖位置との間で移動する規制部材と、を備え、前記出退部材は、遊技球の流下方向を厚み方向とする板状をなす部材であり、前記厚み方向に貫通し、遊技球が通過可能な貫通孔と、自身の出退方向および前記厚み方向に直交する側の側面に設けられ、前記軸支部材の前記第二端部が連結される第一連結部と、前記側面に設けられ、前記規制部材の前記第三端部が連結される第二連結部と、を備え、前記出退部材は、前記入賞口内の下部に配置されて、前記入賞口を介して前記突出位置と前記退避位置との間で出退すると共に、前記入賞口に入賞した遊技球は、前記貫通孔を通過して外部へ排出され、更に、前記規制部材は、前記第三端部に、前記第二連結部に係合する突起部を備え、前記出退部材の前記第二連結部は、前記出退部材が前記突出位置に移動する場合に、前記突起部を押圧する前側押圧面と、前記出退部材が前記退避位置に移動する場合に、前記突起部を押圧する後側押圧面と、を備え、前記前側押圧面と前記後側押圧面は、前記厚み方向に延びる溝状に形成され、前記突起部は、前記前側押圧面と前記後側押圧面との間に配置され、前記前側押圧面と前記後側押圧面とに対し摺擦しながら前記厚み方向に移動できる入賞装置が提供される。
【０００９】
第１態様の入賞装置では、強制的に規制部材を回動させることができるので、たとえ規制部材の回動に負荷や抵抗を生じたとしても、規制部材を回動させることができる。よって、入賞口の開放時には確実に入賞口を開放でき、入賞口の閉鎖時には確実に入賞口を閉鎖することができる。
【００１０】
【００１１】
出退部材の側面に設けた第一連結部と第二連結部とに、外嵌めにより、軸支部材と規制部材とを連結する構成であるので、入賞口に入賞した遊技球が出退部材の貫通孔を介して外部へ排出される過程で、遊技球が、軸支部材や規制部材に接触することがない。つまり、軸支部材や規制部材が遊技球との接触による負荷を受けることがない。よって、軸支部材や規制部材に外部応力による歪みが発生することを抑制できるので、入賞口の開放と閉鎖を長期にわたって確実に行うことができる。
【００１２】
第１態様において、前記出退部材の前記第一連結部は、前記軸支部材が回動して前記出退部材を前記突出位置に移動させる場合に、前記第二端部が摺擦しつつ押圧する前側摺接面と、前記出退部材を前記退避位置に移動させる場合に、前記第二端部が摺擦しつつ押圧する後側摺接面と、を備えてもよい。この場合に、前記後側摺接面には、前記出退部材が前記退避位置にある状態で前記突出位置へ向けて移動する外力を受けた場合に、前記第二端部の移動を制止して、前記軸支部材の回動を禁止する制止部が設けられてもよい。
【００１３】
出退部材が前記退避位置から前記突出位置へ移動する外力を受けた場合に、制止部によって第二端部の移動を制止することにより、軸支部材の回動を禁止することができる。これにより、出退部材の移動に負荷がかかり、出退部材が移動できなくなる。よって、不正による出退部材の移動を防止できるので、出退部材に連結された規制部材の回動も防止でき、非開放時に入賞口を確実に閉鎖することができるので、不正による入賞口への遊技球の入賞を防止することができる。
【００１４】
第１態様において、前記出退部材の出退方向に分割可能に形成され、前記駆動部材、前記軸支部材、前記出退部材および前記規制部材を収容するハウジングを備えてもよい。この場合に、前記駆動部材、前記軸支部材、前記出退部材および前記規制部材の収容し、さらに前記駆動部材に前記駆動源を接続した状態において、前記ハウジングは、自身の内部と外部とを接続する開口として、前記入賞口の開口と、前記入賞口に入賞した遊技球が排出される排出口の開口とを有し、他の開口は、前記駆動源に塞がれていてもよい。
【００１５】
ハウジングには入賞口の開口と排出口の開口があるものの、他の開口は塞がれているので、例えば針金等をハウジング内に挿入することはできない。よって、不正による規制部材の回動を防止し、非開放時には入賞口の閉鎖を確実に行うことができる。
【００１６】
本発明の第２態様によれば、請求項１から４のいずれかに記載の入賞装置を備える遊技機が提供される。第１態様の入賞装置を備えることで、入賞口の開放時には確実に入賞口を開放でき、入賞口の閉鎖時には確実に入賞口を閉鎖することができる。
【図面の簡単な説明】
【００１７】
【図１】パチンコ機１の正面図である。
【図２】第二特別図柄始動電動役物１５を正面、平面および左側面から見た斜視図である。
【図３】第二特別図柄始動電動役物１５を背面、底面および右側面から見た斜視図である。
【図４】第二特別図柄始動電動役物１５の分解斜視図である。
【図５】出退部材６０が突出位置にあるときの規制部材９０および軸支部材８０の形態を示す図である。
【図６】出退部材６０が退避位置にあるときの規制部材９０および軸支部材８０の形態を示す図である。
【図７】出退部材６０が退避位置にある場合において軸支部材８０のロック面７９が段部７４の斜面と向き合う様子を示す図である。
【図８】軸支部材８０が回動し、ロック面７９が段部７４の斜面と向き合う位置から離れた状態を示す図である。
【図９】軸支部材８０の回動によって突起部８４に第一前側摺擦面７２が押圧されて出退部材６０が突出位置にスライド移動した様子を示す図である。
【図１０】出退部材６０の段部７４の斜面がロック面７９に当接して軸支部材８０の回動が規制され、出退部材６０の前方への移動が防止された様子を示す図である。
【発明を実施するための形態】
【００１８】
以下、本発明に係る役物装置を備える遊技機の一実施の形態であるパチンコ機１について、図面を参照して説明する。まず、パチンコ機１の機械的な構成について、図１を参照して説明する。なお、以下の説明において、パチンコ機１の上下方向、左右方向、および前後方向については、特に断りがない場合、ホールに設置されたパチンコ機１で遊技を行う遊技者からパチンコ機１を見た向き（すなわち図１に図示されるパチンコ機１の向き）を基準とする。前後方向は、パチンコ機１の正面側（紙面表面側）を前側とし、背面側（紙面裏面側）を後側とする。また、パチンコ機１に使用される部品についても、パチンコ機１に組み付けられた場合の向きを基準に、上下方向、左右方向、および前後方向を規定するものとする。
【００１９】
図１に示すように、パチンコ機１の上段側には遊技盤２が設けられている。遊技盤２は略正方形であり、透明なガラス板を保持したガラス枠１３によって前面を保護されている。遊技盤２の下段側には上皿５および下皿６が設けられている。上皿５は遊技盤２の下部に設けられ、発射機（図示外）に遊技球を供給し、且つ賞品球を受ける。下皿６は上皿５の直下に設けられ、上皿５から溢れたり排出されたりする賞品球を受ける。下皿６の右横には、遊技球の発射を調整する発射ハンドル７が設けられている。また、ガラス枠１３の上部の左右の角には、スピーカ９がそれぞれ設けられている。
【００２０】
遊技盤２の前面には、ガイドレール３で囲まれた略円形の遊技領域４が形成されている。遊技領域４の略中央には、ＬＣＤから構成された表示装置２８が設けられている。表示装置２８の表示画面には、動画、メッセージ等の様々な映像が表示され、特に、大当たり判定の結果を報知するためのデモ図柄が表示される。表示装置２８の外縁を取り囲むように、各種演出を行う演出装置２９が設けられている。演出装置２９は、モータ等の動力を用いて装飾体を駆動し、さらにＬＥＤ等の発光体を発光させることで、表示装置２８およびスピーカ９等と連動しながら様々な演出を行う。
【００２１】
表示装置２８の下方には、第一特別図柄始動入賞口１４が設けられている。また、表示装置２８の右方には普通図柄始動ゲート１２が設けられており、普通図柄始動ゲート１２の下方に、第二特別図柄始動電動役物１５が配設されている。第二特別図柄始動電動役物１５は入賞口３２に前後方向（遊技盤２の表裏方向）に移動可能な出退部材６０（図４参照）を備えている。遊技球は、出退部材６０が前方（表側）に移動した場合（開放状態）においてのみ、出退部材６０に受け止められることによって入賞口３２に入賞することができる。なお、第二特別図柄始動電動役物１５の詳細については後述する。
【００２２】
表示装置２８の下方から右斜め下方の位置には、通常アタッカー１６とＶアタッカー１７とを備える役物装置１０が設けられている。通常アタッカー１６は、役物装置１０の左斜め下方に配置され、Ｖアタッカー１７は、通常アタッカー１６よりもさらに左斜め下方に配置されている。
【００２３】
遊技領域４の右斜め下方には、複数のＬＥＤを備える図柄表示装置８が設けられている。図柄表示装置８は、図示しない、普通図柄表示部、第一特別図柄表示部、第二特別図柄表示部、普通図柄記憶数表示ＬＥＤ、第一特別図柄記憶数表示ＬＥＤ、第二特別図柄記憶数表示ＬＥＤ等を備える。
【００２４】
普通図柄表示部にはＬＥＤが用いられている。普通図柄始動ゲート１２を遊技球が通過すると普通当たり判定が行われて、判定結果が普通図柄表示部に表示される。普通図柄表示部は、点灯することで普通当たりを表示し、消灯することではずれを表示し、点滅することで普通図柄の変動中であることを示す。
【００２５】
第一特別図柄表示部および第二特別図柄表示部には、アルファベット、数字、記号、またはこれらの組合せからなる特別図柄が表示される。第一特別図柄始動入賞口１４へ遊技球が入賞すると、第一大当たり判定が行われ、その判定の結果に応じて複数の特別図柄のうちの１つが第一特別図柄表示部に表示される。第二特別図柄始動電動役物１５の入賞口３２へ遊技球が入賞すると、第二大当たり判定が行われ、その判定結果は第二特別図柄表示部に表示される。
【００２６】
普通図柄記憶数表示ＬＥＤは、普通図柄作動保留球数を４つまで表示する。普通図柄作動保留球数とは、普通図柄始動ゲート１２を通過し、且つ普通図柄表示部に普通当たり判定の結果がまだ表示されていない遊技球の個数である。第一特別図柄記憶数表示ＬＥＤは、第一特別図柄作動保留球数を４つまで表示する。第一特別図柄作動保留球数とは、第一特別図柄始動入賞口１４に入賞し、且つ第一大当たり判定の結果がまだ表示されていない遊技球の個数である。第二特別図柄記憶数表示ＬＥＤは、第二特別図柄作動保留球数を４つまで表示する。第二特別図柄作動保留球数とは、第二特別図柄始動電動役物１５に入賞し、且つ第二大当たり判定の結果がまだ表示されていない遊技球の個数である。
【００２７】
次に、図２〜図４を参照し、第二特別図柄始動電動役物１５の構造の詳細について説明する。上記したように、第二特別図柄始動電動役物１５は、入賞口３２が開口された化粧枠３１を遊技盤２の盤面上に露出させた状態で、普通図柄始動ゲート１２の下方に配設される入賞装置である。図２〜図４に示すように、第二特別図柄始動電動役物１５は、パチンコ機１に組み付けられた場合の前後方向において二分される筐体を構成する前筐体３０と後筐体４０とを有する。
【００２８】
筐体の前部側の分割体である前筐体３０は、遊技盤２の盤面に露出され、盤面に沿う壁面として形成される化粧枠３１を一体に備える箱状の部材である。化粧枠３１の背面側に、化粧枠３１に開口された入賞口３２の周囲を取り囲みつつ後方へ向けて角筒状に延びる周壁３５が設けられている。入賞口３２は、上下方向に２つの矩形の開口を連結した凸字の形状を有する。上部側の開口である上開口３３は、その幅（左右方向の長さ）が遊技球の直径より若干大きく形成されている。下部側の開口である下開口３４は、その幅が上開口３３よりも幅広に形成されている。
【００２９】
また、化粧枠３１の前面には、遊技球の入賞口３２への入賞を補助する補助枠３６が取り付けられる。補助枠３６は、入賞口３２の前方に配置される板状の部材である。補助枠３６は、三本の支柱によって、化粧枠３１との間に遊技球が通過可能な間隙を有した状態で、化粧枠３１に固定される。補助枠３６の三本の支柱のうち二本は入賞口３２の上方に配置され、遊技球がその二本の支柱間を通過することで、遊技球の流れが入賞口３２へ向かうように矯正される。また、補助枠３６と化粧枠３１との間隙を遊技球が通過することで、遊技球は、化粧枠３１の前面から離れずに入賞口３２付近を流下する。なお、遊技者が入賞口３２を見ることができるように、補助枠３６は半透明な材料により形成されている。
【００３０】
筐体の後部側の分割体である後筐体４０は、前筐体３０の周壁３５の後端面に向き合って配置され、前筐体３０への組み付け部位として機能する周壁４１を有する。周壁４１は、下部が開放されたＣ字状の環をなし、環の開放部分は、第二特別図柄始動電動役物１５において、入賞口３２に入賞する遊技球を外部に排出する排出口４３として機能する。排出口４３には、遊技球を検出する球検出スイッチ２５が組み付けられる。球検出スイッチ２５は、遊技球が排出口４３を介して第二特別図柄始動電動役物１５の筐体内から外部に排出される場合に、その遊技球を検出する。
【００３１】
周壁４１の後端側には、周壁４１のＣ字環の開放部分を含む下側部分において、周壁４１の後端から後方へ向けて袋状に延びる収容部４２が設けられている。収容部４２は、内部に後述する出退部材６０の後部を出し入れ可能に収容し、内面で、出退部材６０が出退する際の出退方向を案内する。また、図４に示すように、周壁４１の前端側には、収容部４２よりも上方の位置に、後述する規制部材９０の第二回動軸９１を左右方向に沿わせて支持する第二軸受４５が設けられている。さらに、周壁４１内で、第二軸受４５よりも上方の位置に、後述する軸支部材８０の第一回動軸８１を、第二回動軸９１と略平行な左右方向に沿わせて支持する第一軸受４４が設けられている。
【００３２】
図２〜図４に示すように、収容部４２の上面側には周壁４１に固定されるカバー体５０が設けられている。収容部４２の上面には出退部材６０を出退させるための動力源であるソレノイド５１が配置される。ソレノイド５１は、通電されると電磁力によって可動鉄心５２を内部に引き込み、可動鉄心５２の先端に設けられた鍔部５３を後方へ移動させる。ソレノイド５１への通電が停止されると、鍔部５３と本体との間に設けられる図示しないバネによって、鍔部５３が前方へ移動される。
【００３３】
カバー体５０は収容部４２の上面に係合し、ソレノイド５１の周囲を覆う。また、カバー体５０は、周壁４１に当接した状態でネジ止めされ、周壁４１の環の上部側を塞ぐ。ソレノイド５１はカバー体５０にネジ止めされ、カバー体５０とともに後筐体４０に固定される。ソレノイド５１の駆動部位である可動鉄心５２は、カバー体５０内で、周壁４１の環の上側部分から筐体内に挿入される。
【００３４】
このように、後筐体４０では、周壁４１の後端側の開口が、カバー体５０に一体に固定されたソレノイド５１と、収容部４２とによって閉じられる。言い換えると、第二特別図柄始動電動役物１５の筐体は、内部と外部とを接続する開口として、前筐体３０の入賞口３２の開口と、後筐体４０の排出口４３の開口とを有する。そして、筐体の内外を接続する他の開口（具体的には周壁４１の環の上部側の開口）は、カバー体５０に覆われるソレノイド５１によって塞がれている。このように、第二特別図柄始動電動役物１５は、入賞口３２と排出口４３以外に外部から筐体内に侵入することができない。よって、例えば針金等を用いた不正を行い、筐体内に収容される出退部材６０、軸支部材８０、規制部材９０（図４参照）、およびソレノイド５１の可動鉄心５２を、外力により動作させることはできない。
【００３５】
図４に示すように、第二特別図柄始動電動役物１５の筐体内には、出退部材６０、規制部材９０、および軸支部材８０が収容される。出退部材６０は、上下方向の厚みが薄く、左右方向よりも前後方向に長く延びる板状をなし、上下方向に貫通する貫通孔６１を有する部材である。出退部材６０は入賞口３２内の下部に配置され、前方側に移動して入賞口３２から先端部６２（後述）を突出させる「突出位置」（図６参照）と、後方側に移動して先端部６２を入賞口３２内に退避する「退避位置」（図５参照）との間で出退可能に設けられる。
【００３６】
出退部材６０の貫通孔６１は、上方から見た場合に前後方向に長く延び、左右方向の幅は、遊技球を通過させるのに十分な大きさを有している。出退部材６０は、貫通孔６１が形成されることによって、前後左右の縁部分を細幅の環状に残した状態に構成される。
【００３７】
また、出退部材６０の前端側の部位であり、貫通孔６１の前端側の部位にかかる部分を含む、先端部６２は、その先端部６２よりも後端側の部位と比べ、上下方向の厚みが約半分の厚みに形成されている。先端部６２は、出退部材６０が突出位置（図６参照）にある場合に、前筐体３０の入賞口３２から外部に突き出される部位であり、先端へ向けて左右方向の長さ（幅）が次第に狭くなる形状を有する。
【００３８】
先端部６２の左右の中央部分には、後方側へ向け下向きに若干の傾斜を有する板状の球受板６３が形成されている。球受板６３は貫通孔６１に接続しており、出退部材６０が突出位置（図６参照）に移動した場合に、球受板６３は、入賞口３２付近を流下する遊技球を受け止めて入賞口３２内に案内し、さらに貫通孔６１内に導く。球受板６３は、遊技球１つを受け止められる程度の大きさに形成されている。
【００３９】
出退部材６０の左右両側の外側面には、第一連結部７１と第二連結部６４とがそれぞれ一対に設けられている。第一連結部７１は、後述する軸支部材８０との連結を行う部位であり、第二連結部６４は、後述する規制部材９０との連結を行う部位である。第二連結部６４は第一連結部７１よりも前側に配置されており、後方側を向く第二前側摺擦面６５と、前方側を向く第二後側摺擦面６６とが互いに向き合い、上下方向に延びる溝状をなして形成されている。第一連結部７１も同様に、後方側を向く第一前側摺擦面７２と、前方側を向く第一後側摺擦面７３とが互いに向き合い、上下方向に延びる溝状をなして形成されている。また、第一連結部７１の第一後側摺擦面７３は段状をなして形成されており、上部側における第一前側摺擦面７２との間の間隙が、下部側における第一前側摺擦面７２との間隙よりも広く構成されている。第一後側摺擦面７３の上部側と下部側との間は段部７４によって接続されている。
【００４０】
次に、軸支部材８０は、ソレノイド５１の可動鉄心５２と、出退部材６０の第一連結部７１とにそれぞれ連結し、ソレノイド５１の駆動力を出退部材６０に伝達する部材である。軸支部材８０は、前述した後筐体４０の第一軸受４４に軸支される第一回動軸８１を軸に、両端（端部８２，８３）が前後方向へ互いに逆向きに揺動する。軸支部材８０は、第一回動軸８１の軸方向と直交する方向へ向けて第一回動軸８１から延びる下側アーム８７と、同様に、下側アーム８７とは反対側へ向けて第一回動軸８１から延びる上側アーム８８とを有する。下側アーム８７、上側アーム８８および第一回動軸８１は一対に設けられており、一対の上側アーム８８の端部８３同士を第一回動軸８１の軸方向に沿って接続する接続部８５が設けられている。
【００４１】
また、一対の上側アーム８８の端部８３には、さらに、接続部８５と向き合う突起部８６がそれぞれ設けられている。第二特別図柄始動電動役物１５の筐体内に軸支部材８０とソレノイド５１とが組み付けられた際に、可動鉄心５２の鍔部５３が接続部８５と突起部８６との間に挟まれるように配置される。下側アーム８７の端部８２にも、突起部８４が設けられている。突起部８４は、互いに向き合って配置される一対の下側アーム８７の端部８２から、それぞれ内向きに突出されている。
【００４２】
第二特別図柄始動電動役物１５の筐体内に軸支部材８０と出退部材６０とが組み付けられた際に、突起部８４が出退部材６０の第一連結部７１に係合され、軸支部材８０と出退部材６０とが連結される。より詳細に、軸支部材８０の一対の下側アーム８７は、出退部材６０を左右外側から挟むように配置され、貫通孔６１の内面よりも左右外側に離れている。突起部８４は、第一連結部７１の第一前側摺擦面７２と第一後側摺擦面７３との間に配置される。突起部８４は、第一前側摺擦面７２と第一後側摺擦面７３とに対し、摺擦しながら上下に移動できる。また、第一前側摺擦面７２と第一後側摺擦面７３との間隙は突起部８４に対して遊びを有し、突起部８４は、若干ながら左右にも移動できる。なお、詳細は後述するが、出退部材６０に従動して軸支部材８０が回動するのを防止するロック機構を実現するため、突起部８４は、第一連結部７１の段部７４に係り合うように、一部を切り欠いた形状のロック部７７（図７参照）を有している。
【００４３】
次に、規制部材９０は、前述した後筐体４０の第二軸受４５に軸支される第二回動軸９１を軸に、出退部材６０の突出位置と退避位置との間における移動に連動し、強制的に、回動される部材である。規制部材９０は、回動によって、後述する規制板９５に入賞口３２の上開口３３を閉鎖させる「閉鎖位置」（図５参照）と、規制板９５を筐体内に退避させて上開口３３を開放させる「開放位置」（図６参照）との間で移動する。
【００４４】
規制部材９０は、第二回動軸９１の軸方向と直交する方向へ向けて第二回動軸９１から延びる下側アーム９７と、同様に、下側アーム９７とは反対側にて第二回動軸９１から延びる上側アーム９８とを有する。上側アーム９８の延びる方向は、下側アーム９７の延びる方向に対してずれており、規制部材９０を側方から見た場合に、下側アーム９７と上側アーム９８は第二回動軸９１を頂点に、略くの字に屈曲している。
【００４５】
また、軸支部材８０と同様に、下側アーム９７、上側アーム９８および第二回動軸９１はそれぞれ一対に設けられている。そして、一対の上側アーム９８の端部９３同士が、上側アーム９８の延びる方向に略垂直な面を有する板状の規制板９５によって、互いに接続されている。規制板９５の面は、入賞口３２の上開口３３の開口部分とほぼ同じ大きさに形成されている。さらに、一対の下側アーム９７の端部９２にも、互いに向き合う位置に配置され、それぞれ内向きに突出する突起部９４が形成されている。
【００４６】
第二特別図柄始動電動役物１５の筐体内に規制部材９０と出退部材６０とが組み付けられた際に、突起部９４が出退部材６０の第二連結部６４に係合され、規制部材９０と出退部材６０とが連結される。より詳細に、軸支部材８０と同様に、規制部材９０の一対の下側アーム９７は、出退部材６０を左右外側から挟むように配置され、それぞれ貫通孔６１の内面よりも左右外側に離れている。突起部９４は、第二連結部６４の第二前側摺擦面６５と第二後側摺擦面６６との間に配置される。そして同様に、突起部９４は、第二前側摺擦面６５と第二後側摺擦面６６とに対し、摺擦しながら上下に移動できる。また、第二前側摺擦面６５と第二後側摺擦面６６との間隙も同様に突起部９４に対して遊びを有し、突起部９４は、若干ながら左右にも移動できる。
【００４７】
次に、図５，図６を参照し、第二特別図柄始動電動役物１５の動作態様について説明する。第二特別図柄始動電動役物１５は、ソレノイド５１の駆動によって、軸支部材８０、出退部材６０、および規制部材９０が作動する。
【００４８】
第二特別図柄始動電動役物１５の入賞口３２の開放が行われない場合は、図５に示すように、ソレノイド５１の通電が停止され、可動鉄心５２の鍔部５３がバネ（図示外）に付勢されて、前方へ移動する。軸支部材８０は、上側アーム８８の端部８３に設けられた接続部８５が、鍔部５３に押圧されて前方へ移動することによって、第一回動軸８１を軸に回動し、下側アーム８７の端部８２が後方へ移動する。出退部材６０は、第一連結部７１の第一後側摺擦面７３が、軸支部材８０の下側アーム８７の端部８２に設けられた突起部８４によって押圧されることによって、後方の退避位置へ向けてスライド移動する。出退部材６０が退避位置にある場合、出退部材６０の先端部６２は入賞口３２内に配置される。つまり、先端部６２は、入賞口３２から突出することがなく、入賞口３２付近を流下する遊技球の流れを阻害しない。
【００４９】
規制部材９０は、下側アーム９７の端部９２に設けられた突起部９４が、出退部材６０の第二連結部６４の第二前側摺擦面６５に後方へ押圧されることによって、第二回動軸９１を軸に閉鎖位置へ向けて、強制的に、回動される。この回動によって、規制部材９０の上側アーム９８の端部９３が上方から前方へ向けて移動し、端部９３に設けられた規制板９５が、入賞口３２の上開口３３を筐体の内部から塞ぐ位置に移動して、入賞口３２が閉鎖される。上開口３３が規制板９５によって塞がれることで、入賞口３２の開口が遊技球の径よりも小さくなるため、入賞口３２付近を流下する遊技球は、入賞口３２に入賞することができない。上記のように、出退部材６０が退避位置へ移動する際に規制部材９０が強制的に回動されるので、たとえ規制部材９０の回動に負荷や抵抗を生じたとしても、規制板９５による入賞口３２の閉鎖を確実に行うことができる。また、規制板９５が閉鎖位置にある場合、規制板９５の面は、入賞口３２（上開口３３）の周囲の面すなわち化粧枠３１の前面に対し、ほぼ同じ位置もしくは若干内部側の位置に配置される。つまり、規制板９５は、入賞口３２から突出することがなく、入賞口３２付近を流下する遊技球の流れを阻害しない。
【００５０】
一方、第二特別図柄始動電動役物１５の入賞口３２が開放される場合は、図６に示すように、ソレノイド５１が通電され、可動鉄心５２が引き込まれて鍔部５３が前方へ移動する。軸支部材８０は、上側アーム８８の端部８３の突起部８６が鍔部５３に押圧されて後方へ移動することによって回動し、下側アーム８７の端部８２が前方へ移動する。出退部材６０は、第一連結部７１の第一前側摺擦面７２が端部８２の突起部８４に押圧されることで、前方の突出位置へ向けてスライド移動する。これにより、出退部材６０の先端部６２が、入賞口３２から遊技盤２（図１参照）の盤面側に突出される。
【００５１】
規制部材９０は、下側アーム９７の端部９２の突起部９４が第二連結部６４の第二後側摺擦面６６に前方へ押圧されることで、開放位置へ向けて回動される。この回動によって、上側アーム９８の端部９３が前方から上方へ向けて移動し、規制板９５が入賞口３２の上開口３３から離れて筐体の内部に退避し、入賞口３２が開放される。このように、出退部材６０が突出位置へ移動する際も同様に規制部材９０が強制的に回動されるので、規制板９５を上開口３３から離れさせ、入賞口３２の開放を確実に行うことができる。また、規制板９５が筐体内に退避することにより、開放時に、入賞口３２付近を流下する遊技球の流れを規制板９５が変化させることがない。
【００５２】
入賞口３２付近を流下する遊技球が、出退部材６０の先端部６２の球受板６３に受け止められた場合には、遊技球は、入賞口３２内に案内され、貫通孔６１内に導かれる。遊技球は、貫通孔６１の内面に沿って貫通孔６１を通過し、後筐体４０の排出口４３へ向かう。ここで、前述したように、出退部材６０の第一連結部７１および第二連結部６４は、左右両側の外側面に設けられている。そして、軸支部材８０の一対の下側アーム８７、および規制部材９０の一対の下側アーム９７は、第一連結部７１および第二連結部６４のそれぞれに対し、外嵌めによって連結されている。
【００５３】
したがって、貫通孔６１を通過する遊技球は、貫通孔６１の内面に接触するものの、軸支部材８０の下側アーム８７や規制部材９０の下側アーム９７に接触することがない。言い換えると、軸支部材８０や規制部材９０が遊技球との接触による負荷を受けることがない。ゆえに、軸支部材８０や規制部材９０に外部応力による歪みが発生することを抑制できるので、入賞口３２の開放と閉鎖を長期にわたって確実に行うことができる。
【００５４】
次に、図７〜図１０を参照し、出退部材６０に従動して軸支部材８０が回動してしまうことを規制するためのロック機構について説明する。図７に示すように、出退部材６０の第一連結部７１に設けられた段部７４は、前方へ向けて下方に傾斜する斜面に構成されている。また、段部７４を挟んで上部と下部とに分かれる第一後側摺擦面７３は、前後方向に直交して前方を向く面として構成されている。出退部材６０が退避位置にある場合、軸支部材８０の下側アーム８７の端部８２は、上側アーム８８の端部８３よりも後方に位置する。前述したように、端部８２の突起部８４は、一部を切り欠いた形状のロック部７７を有する。ロック部７７は、段部７４の斜面に対して若干の間隙を有して略平行に向き合うロック面７９と、段部７４より下部側の第一後側摺擦面７３に向き合う押圧面７８とから構成される。ソレノイド５１に従動する軸支部材８０の回動によって出退部材６０を退避位置に移動させる場合には、ロック部７７の押圧面７８が第一連結部７１の下部側の第一後側摺擦面７３を押圧することによって、出退部材６０が後方へスライド移動する。
【００５５】
ソレノイド５１を駆動して出退部材６０を突出位置に移動させる場合には、軸支部材８０の回動によって、下側アーム８７の端部８２が前方へ移動する。このとき、図８に示すように、ロック部７７のロック面７９は、段部７４の斜面との間に間隙を有するため、段部７４に接触することなく段部７４の斜面と向き合う位置から離れることができる。軸支部材８０のさらなる回動によって第一前側摺擦面７２に当接した突起部８４が、図９に示すように、第一前側摺擦面７２を前方に押圧することで、出退部材６０が前方へ向けてスライド移動する。
【００５６】
一方、ソレノイド５１が非駆動であるにもかかわらず、出退部材６０を退避位置から突出位置へ移動させようとした場合、ロック機構が段部７４に係り合って、軸支部材８０の回動が防止されることとなる。図１０に示すように、出退部材６０が前方へ移動すると、下部側の第一後側摺擦面７３がロック部７７の押圧面７８を前方へ押圧し、下側アーム８７の端部８２が前方へ移動する向きに軸支部材８０を回動させる。また、前方へ向けて下方に傾斜する段部７４の斜面とロック部７７のロック面７９とが略平行に向き合うため、出退部材６０の前方への移動に伴い、ロック面７９と段部７４の斜面との間隙が狭くなる。
【００５７】
そして、ロック面７９と段部７４の斜面とが接触した状態において、下側アーム８７の端部８２は第一回動軸８１よりも後方にあるため、軸支部材８０がさらに回動するにはロック面７９が下方へ移動する必要がある。しかし、段部７４がロック面７９の下方への移動を阻むため、軸支部材８０の回動が禁止される。その結果、さらに出退部材６０を前方へ移動させようとしても、回動が禁止された軸支部材８０によって負荷がかかり、出退部材６０は前方に動くことができなくなる。
【００５８】
このように、軸支部材８０の突起部８４に設けられたロック部７７が、出退部材６０の前方への移動に従動して軸支部材８０が回動することを防止する、ロック機構として機能する。すなわち、出退部材６０は、ソレノイド５１に従動する軸支部材８０の回動によって退避位置から突出位置へ移動することはできるが、外部から応力を受けて退避位置から突出位置へ移動することはできない。例えば、入賞口３２から針金等が挿入されて出退部材６０が引き出されようとしても、ロック機構が機能することにより、出退部材６０が退避位置から移動することはできない。ゆえに、出退部材６０に従動する規制部材９０が回動することはなく、入賞口３２の非開放時には確実に入賞口３２を閉鎖することができるので、不正による入賞口３２への遊技球の入賞を防止することができる。
【００５９】
本発明は、以上詳述した実施の形態に限定されるものではなく、本発明の要旨を逸脱しない範囲内において種々の変更が可能であることは言うまでもない。例えば、軸支部材８０や規制部材９０のアーム（上側アーム、下側アーム）を左右一対としたが、一方のみであってもよい。この場合も、アームの端部を出退部材６０に連結する上で外嵌めを行って、軸支部材８０や規制部材９０が貫通孔６１の内面から離れて配置されればよい。
【００６０】
軸支部材８０や規制部材９０は、軸を挟んで両側に端部を設けたので、従動により駆動される端部（力点）の移動の向きと、作用する端部（作用点）の移動の向きとが逆向きとなったが、一方の端部に軸を設け、力点と作用点における移動の向きを同じ向きとしてもよい。
【００６１】
軸支部材８０の突起部８４に設けたロック部７７と出退部材６０の第一連結部７１に設けた段部７４とが係り合うことでロック機構として機能したが、このような、両者の連結部位とは異なる部位に、独立した別部材を用いて機能するロック機構を設けてもよい。
【００６２】
なお、本発明においては、第二特別図柄始動電動役物１５が「入賞装置」に相当する。ソレノイド５１が「駆動源」に相当し、可動鉄心５２が「駆動部材」に相当する。第一回動軸８１が「第一軸」に相当し、第二回動軸９１が「第二軸」に相当する。端部８３が「第一端部」に相当し、端部８２が「第二端部」に相当する。端部９２が「第三端部」に相当し、端部９３が「第四端部」に相当する。第一前側摺擦面７２が「前側摺接面」に相当し、第一後側摺擦面７３が「後側摺接面」に相当する。突起部９４が「突起部」に相当する。第二前側摺擦面６５が「前側押圧面」に相当し、第二後側摺擦面６６が「後側押圧面」に相当する。段部７４が「制止部」に相当する。前筐体３０および後筐体４０が「ハウジング」に相当する。
【符号の説明】
【００６３】
１    パチンコ機
２    遊技盤
１５    第二特別図柄始動電動役物
３０    前筐体
３２    入賞口
４０    後筐体
４３    排出口
５１    ソレノイド
５２    可動鉄心
６０    出退部材
６１    貫通孔
６４    第二連結部
７１    第一連結部
７２    第一前側摺擦面
７３    第一後側摺擦面
７４    段部
７７    ロック部
８０    軸支部材
８１    第一回動軸
８２，８３，９２，９３  端部
９０    規制部材
９１    第二回動軸
９５    規制板
【図１】
0005887595.tif 000002
【図２】
0005887595.tif 000003
【図３】
0005887595.tif 000004
【図４】
0005887595.tif 000005
【図５】
0005887595.tif 000006
【図６】
0005887595.tif 000007
【図７】
0005887595.tif 000008
【図８】
0005887595.tif 000009
【図９】
0005887595.tif 000010
【図１０】
0005887595.tif 000011